【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記格納手段による格納処理を有効とするか、または無効とするかを選択する選択手段と、
前記選択手段が前記格納手段による格納処理を有効とすることを選択している場合、画像データを前記記憶装置に記憶する処理を伴わないジョブの実行を制限する制限手段と、を備えることを特徴とする画像処理システム。
【請求項２】
前記制限手段は、前記選択手段が前記格納手段による格納処理を無効とすることを選択している場合、画像データを前記記憶装置に記憶する処理を伴わないジョブの実行を制限しないことを特徴とする請求項１に記載の画像処理システム。
【請求項３】
更に、ジョブの実行を指示するユーザを認証する認証手段を備え、
前記選択手段が前記格納手段による格納処理を有効とすることを選択している場合において、前記認証手段が特定のユーザを認証した場合には、前記制限手段は画像データを前記記憶装置に記憶する処理を伴わないジョブの実行を制限しないことを特徴とする請求項１または請求項２に記載の画像処理システム。
【請求項４】
更に、画像処理システムが実行することが可能なジョブの選択を受け付けるための画面を表示する表示手段を備え、
前記表示手段は、前記選択手段が前記格納手段による格納処理を有効とすることを選択している場合、前記データを前記記憶装置に記憶する処理を伴わないジョブの選択を受け付けないような画面を表示することを特徴とする請求項１乃至請求項３のいずれか１項に記載の画像処理システム。
【請求項５】
前記記憶装置はハードディスクであり、画像データを記憶装置に記憶する処理を伴うジョブとは画像データをハードディスクに一時的に記憶した後にＦＡＸ送信するジョブであり、画像データを前記記憶装置に記憶する処理を伴わないジョブとは画像データをハードディスクに記憶せずにＦＡＸ送信するジョブであることを特徴とする請求項１乃至請求項４のいずれか１項に記載の画像処理システム。
【請求項６】
画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記ジョブの実行に伴い画像データを一時的に記憶する一時記憶装置と、
前記一時記憶装置に記憶された画像データを読み出して印刷のための出力を行う読み出し手段と、
前記格納手段による格納処理を有効とするか、または無効とするかを選択する選択手段と、
前記選択手段が前記格納手段による格納処理を有効とすることを選択している場合において、前記一時記憶装置に記憶されている画像データが前記格納手段により前記記憶装置に格納されていない場合には、前記読み出し手段が前記一時記憶装置に一時的に記憶された画像データを読み出して印刷のための出力を行うことを制限する制限手段と、を備えることを特徴とする画像処理システム。
【請求項７】
画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記格納手段による格納処理を有効とするか、または無効とするかを選択する選択手段と、
前記選択手段が前記格納手段による格納処理を有効とすることを選択している場合、前記記憶装置に前記画像データが格納完了する前に前記画像データに基づく画像が印刷される用紙の給紙を開始しないよう制御する制御手段と、を備えることを特徴とする画像処理システム。
【請求項８】
画像データを記憶装置に記憶する処理を伴うジョブと、画像データを前記記憶装置に記憶する処理を伴わないジョブとを実行することが可能な画像処理システムにおける画像処理方法であって、
画像処理システムがジョブを実行する毎に、当該ジョブに関する情報を前記記憶装置へ格納する格納工程と、
前記格納工程における格納処理を有効とするか、または無効とするかを選択する選択工程と、
前記選択工程において前記格納工程における格納処理を有効とすることが選択された場合、画像データを前記記憶装置に記憶する処理を伴わないジョブの実行を制限する制限工程と、を有することを特徴とする画像処理方法。
【請求項９】
画像データを記憶装置に記憶する処理を伴うジョブと、画像データを前記記憶装置に記憶する処理を伴わないジョブとを実行することが可能であり、ジョブの実行に伴い画像データを一時的に記憶する一時記憶装置を備える画像処理システムにおける画像処理方法であって、
画像処理システムがジョブを実行する毎に、当該ジョブに関する情報を前記記憶装置へ格納する格納工程と、
前記一時記憶装置に記憶された画像データを読み出して印刷のための出力を行う読み出し工程と、
前記格納工程における格納処理を有効とするか、または無効とするかを選択する選択工程と、
前記選択工程において前記格納工程における格納処理を有効とすることが選択されている場合において、前記一時記憶装置に記憶されている画像データが前記記憶装置に格納されていない場合には、前記読み出し工程において前記一時記憶装置に一時的に記憶された画像データを読み出して印刷のための出力を行うことを制限する制限工程と、を有することを特徴とする画像処理方法。
【請求項１０】
画像データを記憶装置に記憶する処理を伴うジョブと、画像データを前記記憶装置に記憶する処理を伴わないジョブとを実行することが可能な画像処理システムにおける画像処理方法であって、
画像処理システムがジョブを実行する毎に、当該ジョブに関する情報を前記記憶装置へ格納する格納工程と、
前記格納工程における格納処理を有効とするか、または無効とするかを選択する選択工程と、
前記選択工程が前記格納工程における格納処理を有効とすることを選択している場合、前記記憶装置に前記画像データが格納完了する前に前記画像データに基づく画像が印刷される用紙の給紙を開始しないよう制御する制御工程と、を有することを特徴とする画像処理方法。
【請求項１１】
請求項８乃至請求項１０のいずれか１項の画像処理方法を画像処理システムに実行させるためのプログラム。
【手続補正２】
【補正対象書類名】明細書
【補正対象項目名】発明の名称
【補正方法】変更
【補正の内容】
【発明の名称】画像処理システム、画像処理方法及びプログラム
【手続補正３】
【補正対象書類名】明細書
【補正対象項目名】０００６
【補正方法】変更
【補正の内容】
【０００６】
上記課題を解決するために、本発明に係る画像処理システムは、画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記格納手段による格納処理を有効とするか、または無効とするかを選択する選択手段と、
前記選択手段が前記格納手段による格納処理を有効とすることを選択している場合、画像データを前記記憶装置に記憶する処理を伴わないジョブの実行を制限する制限手段と、を備えることを特徴とする。
【手続補正４】
【補正対象書類名】明細書
【補正対象項目名】０００７
【補正方法】変更
【補正の内容】
【０００７】
また、本発明に係る画像処理システムは、画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記ジョブの実行に伴い画像データを一時的に記憶する一時記憶装置と、
前記一時記憶装置に記憶された画像データを読み出して印刷のための出力を行う読み出し手段と、
前記格納手段による格納処理を有効とするか、または無効とするかを選択する選択手段と、
前記選択手段が前記格納手段による格納処理を有効とすることを選択している場合において、前記一時記憶装置に記憶されている画像データが前記格納手段により前記記憶装置に格納されていない場合には、前記読み出し手段が前記一時記憶装置に一時的に記憶された画像データを読み出して印刷のための出力を行うことを制限する制限手段と、を備えることを特徴とする。
【手続補正５】
【補正対象書類名】明細書
【補正対象項目名】０００８
【補正方法】変更
【補正の内容】
【０００８】
さらに、本発明に係る画像処理システムは、画像データを記憶装置に記憶する処理を伴うジョブと、画像データを前記記憶装置に記憶する処理を伴わないジョブとを実行することが可能な画像処理システムであって、
画像処理システムがジョブを実行する毎に、当該ジョブに関する情報を前記記憶装置へ格納する格納手段と、
前記格納手段による格納処理を有効とするか、または無効とするかを選択する選択手段と、
前記選択手段が前記格納手段による格納処理を有効とすることを選択している場合、前記記憶装置に前記画像データが格納完了する前に前記画像データに基づく画像が印刷される用紙の給紙を開始しないよう制御する制御手段と、を備えることを特徴とする。
【手続補正６】
【補正対象書類名】明細書
【補正対象項目名】０００９
【補正方法】変更
【補正の内容】
【０００９】
さらにまた、本発明に係る画像処理方法は、画像データを記憶装置に記憶する処理を伴うジョブと、画像データを前記記憶装置に記憶する処理を伴わないジョブとを実行することが可能な画像処理システムにおける画像処理方法であって、
画像処理システムがジョブを実行する毎に、当該ジョブに関する情報を前記記憶装置へ格納する格納工程と、
前記格納工程における格納処理を有効とするか、または無効とするかを選択する選択工程と、
前記選択工程において前記格納工程における格納処理を有効とすることが選択された場合、画像データを前記記憶装置に記憶する処理を伴わないジョブの実行を制限する制限工程と、を有することを特徴とする。
【手続補正７】
【補正対象書類名】明細書
【補正対象項目名】００１０
【補正方法】変更
【補正の内容】
【００１０】
さらにまた、本発明に係る画像処理方法は、画像データを記憶装置に記憶する処理を伴うジョブと、画像データを前記記憶装置に記憶する処理を伴わないジョブとを実行することが可能であり、ジョブの実行に伴い画像データを一時的に記憶する一時記憶装置を備える画像処理システムにおける画像処理方法であって、
画像処理システムがジョブを実行する毎に、当該ジョブに関する情報を前記記憶装置へ格納する格納工程と、
前記一時記憶装置に記憶された画像データを読み出して印刷のための出力を行う読み出し工程と、
前記格納工程における格納処理を有効とするか、または無効とするかを選択する選択工程と、
前記選択工程において前記格納工程における格納処理を有効とすることが選択されている場合において、前記一時記憶装置に記憶されている画像データが前記記憶装置に格納されていない場合には、前記読み出し工程において前記一時記憶装置に一時的に記憶された画像データを読み出して印刷のための出力を行うことを制限する制限工程と、を有することを特徴とする。
【手続補正８】
【補正対象書類名】明細書
【補正対象項目名】００１１
【補正方法】変更
【補正の内容】
【００１１】
さらにまた、本発明に係る画像処理方法は、画像データを記憶装置に記憶する処理を伴うジョブと、画像データを前記記憶装置に記憶する処理を伴わないジョブとを実行することが可能な画像処理システムにおける画像処理方法であって、
画像処理システムがジョブを実行する毎に、当該ジョブに関する情報を前記記憶装置へ格納する格納工程と、
前記格納工程における格納処理を有効とするか、または無効とするかを選択する選択工程と、
前記選択工程が前記格納工程における格納処理を有効とすることを選択している場合、前記記憶装置に前記画像データが格納完了する前に前記画像データに基づく画像が印刷される用紙の給紙を開始しないよう制御する制御工程と、を有することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】